(57)【特許請求の範囲】
【請求項１】
駆動ドラムに巻回されたワイヤの両端部を、ガイドレールの上下両端部のガイド部にそれぞれ掛け回してからキャリアプレートに係止し、該ワイヤを上下に駆動させることにより、キャリアプレートをウインドウパネルごと前記ガイドレールに沿って上下動させるワイヤ式ウインドウレギュレータ装置であって、
前記キャリアプレートの表面又は裏面側に、ワイヤの両端部を共通の入口でクロスさせた状態で収納可能な互いに深さの異なる２本の溝部を形成し、
該入口の上下の縁部に、ワイヤの溝部から抜ける方向への移動を規制する突起部をそれぞれ形成し、入口の上縁部に形成した突起部の先端には下方に向かう曲折部を設ける一方、入口の下縁部に形成した突起部の先端には上方に向かう曲折部を設けて、それら曲折部の先端同士が間隙をもって相互に対向するようにし、
各溝部内に、ワイヤの両端部を、張力付与方向に付勢する付勢部材と共に収納したことを特徴とするワイヤ式ウインドウレギュレータ装置。
【請求項２】
請求項１に記載のワイヤ式ウインドウレギュレータ装置であって、
浅い方のワイヤの端部が当接する方の入口の縁部に、該ワイヤの深い方への移動を規制する段部を形成したことを特徴とするワイヤ式ウインドウレギュレータ装置。
【請求項３】
請求項１または２に記載のワイヤ式ウインドウレギュレータ装置であって、
入口がキャリアプレートの上下中心に形成され、且つ２本の溝部は深さが異なるだけで経路は入口を中心にして上下対称であることを特徴とするワイヤ式ウインドウレギュレータ装置。
【発明の詳細な説明】
【０００１】
【発明の属する技術分野】
この発明は、ワイヤ式ウインドウレギュレータ装置に関するものである。
【０００２】
【従来の技術】
従来のワイヤ式ウインドウレギュレータ装置としては、例えば、特開平９−３２４１３号公報で知られているように、ウインドウパネルを保持するキャリアプレートは、ガイドレールに対して上下動自在に支持されている。ガイドレールには、モータにて回転する駆動ドラムが固定され、該駆動ドラムにワイヤが巻回されている。ワイヤの両端部は駆動ドラムから上下方向に延び、ガイドレールの上下両端部のガイド部にそれぞれ掛け回されてから前記キャリアプレートに係止される。
【０００３】
ワイヤの両端部はそれぞれ引っ張り方向に付勢された状態でキャリアプレートに係止され、ワイヤに所定の張力を付与している。なぜならば、ワイヤに弛みが生じると、駆動ドラムでワイヤのスリップが生じ、ワイヤに駆動力を伝達できなくなるからである。
【０００４】
そのために、従来は、キャリアプレートに回転式のワイヤ係止部材を設け、このワイヤ係止部材に対してワイヤの両端部を係止し、該ワイヤ係止部材にワイヤの両端部を巻き付けるように回転させることで、ワイヤに張力を付与していた。
【０００５】
【発明が解決しようとする課題】
しかしながら、このような従来の技術にあっては、キャリアプレートに回転式のワイヤ係止部材を設けたため、キャリアプレートの構造が複雑になっていた。また、回転式のワイヤ係止部材に対して、ワイヤの両端部を係止する作業も面倒であった。
【０００６】
この発明は、このような従来の技術に着目してなされたものであり、キャリアプレートの構造が簡単で且つワイヤの係止作業が容易なワイヤ式ウインドウレギュレータ装置を提供するものである。
【０００７】
【課題を解決するための手段】
請求項１記載の発明は、駆動ドラムに巻回されたワイヤの両端部を、ガイドレールの上下両端部のガイド部にそれぞれ掛け回してからキャリアプレートに係止し、該ワイヤを上下に駆動させることにより、キャリアプレートをウインドウパネルごと前記ガイドレールに沿って上下動させるワイヤ式ウインドウレギュレータ装置であって、前記キャリアプレートの表面又は裏面側に、ワイヤの両端部を共通の入口でクロスさせた状態で収納可能な互いに深さの異なる２本の溝部を形成し、該入口の上下の縁部に、ワイヤの溝部から抜ける方向への移動を規制する突起部をそれぞれ形成し、入口の上縁部に形成した突起部の先端には下方に向かう曲折部を設ける一方、入口の下縁部に形成した突起部の先端には上方に向かう曲折部を設けて、それら曲折部の先端同士が間隙をもって相互に対向するようにし、各溝部内に、ワイヤの両端部を、張力付与方向に付勢する付勢部材と共に収納したことを特徴とする。
【０００８】
請求項１記載の発明によれば、キャリアプレートには溝部と突起部を形成するだけで、可動する部分を設けないため、キャリアプレートの構造が簡単である。また、ワイヤの両端部を付勢部材と共に溝部内に収納するだけなので、ワイヤのキャリアプレートに対する係止作業も容易である。溝部内に収納されたワイヤは、突起部が各深さにおけるワイヤの抜け方向（浅い方向）への移動を規制するため、いったん収納した後は、ワイヤが溝部から抜け出る心配はなく、ワイヤ同士の干渉も回避される。
【００１１】
請求項２記載の発明は、浅い方のワイヤの端部が当接する方の入口の縁部に、該ワイヤの深い方への移動を規制する段部を形成した。
【００１２】
請求項２記載の発明によれば、浅い方のワイヤが当接する入口の縁部に段部を形成したため、この段部により浅い方のワイヤが深い方へ移動するのを規制でき、ワイヤ同士の干渉が更に確実に回避される。
【００１３】
請求項３記載の発明は、入口がキャリアプレートの上下中心に形成され、且つ２本の溝部は深さが異なるだけで経路は入口を中心にして上下対称である。
【００１４】
請求項３記載の発明によれば、溝部が上下対称のため、キャリアプレートを上下逆にすることで、左右のガイドレールに適用可能な左右共用部品にすることができる。
【００１５】
【発明の実施の形態】
以下、この発明の好適な実施形態を図１〜図９に基づいて説明する。
【００１６】
図１は、左ドアに設けられたウインドウレギュレータ装置を車外側から見た側面図である。ガイドレール１は若干後傾した状態で、ドアの内部に図示せぬブラケットを介して固定されている。ガイドレール１は上下対称形状で、上下両端部には、半円形状のガイド部２が湾曲側を上下に向けた対向状態で取付けられている。
【００１７】
ガイドレール１の途中にはベース３を介してモータ４が固定されている。ベース３にはモータ４で回転する駆動ドラム５も取付けられ、該駆動ドラム５に上下のガイド部２に掛け回されたワイヤ６が巻回されている。
【００１８】
ガイドレール１は前述のように上下対称形状のため、モータ４及びワイヤ６を装備した状態で、上下逆にすることにより、左右のドアに共用することができる。
【００１９】
そして、このようなガイドレール１に対してキャリアプレート７が上下動自在に取付けられている。上下のガイド部２に掛け回された後の上下のワイヤ６ａ、６ｂは、それぞれキャリアプレート７に係止されている。このキャリアプレート７には一対のホルダ８を介して、ウインドウパネル９の下端部が支持されている。従って、モータ４によりドラム５を回転させてワイヤ６ａ、６ｂを上下に駆動させると、キャリアプレート７がウインドウパネル９ごと前記ガイドレール１に沿って上下動する。
【００２０】
次に、キャリアプレート７の構造と、キャリアプレート７へのワイヤ６ａ、６ｂの係止構造について説明する。尚、以下において、図１で見えている方の面を「表面」とし、その反対側を「裏面」として説明する。
【００２１】
キャリアプレート７は、図３及び図４に示すように、金属パネルの前後中央部に樹脂製のモールド部１０を有し、そのモールド部１０の裏面側に形成したスリット部１１内へ、ガイドレール１の後縁フランジを係合させている。従って、キャリアプレート７は、このスリット部１１の係合により、ガイドレール１に沿って上下動自在となるため、キャリアプレート７を上下逆にしても、同じ向き及び同じ角度でガイドレール１に対して上下動する。すなわち、キャリアプレート７も左右共用で、上下逆にすることにより、図示せぬ右ドア用のガイドレールにも適用可能である。
【００２２】
キャリアプレート７は、モールド部１０以外の部分において、前側に１つの共用孔１２を有し、後側に２つの支持孔１３ａ、１３ｂを有している。キャリアプレート７は、左右どちら側のガイドレール１に取付けられても、前側の共用孔１２と、後側で上方になる方の支持孔１３ａ、１３ｂに対して、前述のような一対のホルダ８を用いてウインドウパネル９の下端部を支持することができる。
【００２３】
モールド部１０の裏面側には、ワイヤ６ａ、６ｂを共通の入口１４でクロスさせた状態で収納可能な互いに深さの異なる２本の溝部１５ａ、１５ｂが形成されている。上側の溝部１５ａが浅く、下側の溝部１５ｂが深く形成されている。入口１４はキャリアプレート７の上下中央に位置し、２本の溝部１５ａ、１５ｂの経路は上下対称である。従って、この溝部１５ａ、１５ｂはキャリアプレート７の左右共用化を阻害しない。
【００２４】
溝部１５ａ、１５ｂは、入口１４から離れた部分において途中から太い空洞部１６ａ、１６ｂとなり、そのまま上下両端で開口している。この空洞部１６ａ、１６ｂも溝部１５ａ、１５ｂの一部で、モールド部１０の裏面に露出している部分の幅はワイヤ６ａ、６ｂを通せるだけの狭いものである。
【００２５】
ワイヤ６ａ、６ｂの両端部の端末にはボール部１７ａ、１７ｂが取付けられ、そのボール部１７ａ、１７ｂ側にはボール部１７ａ、１７ｂよりも小径の「付勢手段」としてのスプリング１８ａ、１８ｂが外装されている。従って、このスプリング１８ａ、１８ｂが外装されたワイヤ６ａ、６ｂの両端部を、引き出して、スプリング１８ａ、１８ｂが無い部分のワイヤ６ａ、６ｂだけを、モールド部１０の裏面側から溝部１５ａ、１５ｂ内に収納する。次に、ワイヤ６ａ、６ｂを入口１４側へ引き込むことにより、スプリング１８ａ、１８ｂが空洞部１６ａ、１６ｂ内に収納されると共に、該スプリング１８ａ、１８ｂの端部が空洞部１６ａ、１６ｂの端部に当接し、ボール部１７ａ、１７ｂとの間で圧縮された状態となる。従って、ワイヤ６ａ、６ｂにはこのスプリング１８ａ、１８ｂの弾性反発力に応じた張力が付与される。
【００２６】
同様にして、各溝部１５ａ、１５ｂ内に収納されたワイヤ６ａ、６ｂは、溝部１５ａ、１５ｂの深さが異なることなら、ワイヤ６ａ、６ｂ同士の間にも所定の間隔Ｓが形成される（図８参照）。従って、ワイヤ６ａ、６ｂをクロス状態で配策しても、ワイヤ６ａ、６ｂ同士が干渉することはない。
【００２７】
溝部１５ａ、１５ｂの共通の入口１４には、これらワイヤ６ａ、６ｂ同士の干渉を回避すると共に、両方のワイヤ６ａ、６ｂが溝部１５ａ、１５ｂから抜け出すのを防止する構造が設けられている。
【００２８】
すなわち、溝部１５ａ、１５ｂにおける空洞部１６ａ、１６ｂでは、スプリング１８ａ、１８ｂ自体が溝部１５ａ、１５ｂの狭い開口部から抜け出せないため問題ないが、空洞部１６ａ、１６ｂ以外の溝部１５ａ、１５ｂではワイヤ６ａ、６ｂが溝部１５ａ、１５ｂから抜け出てしまうおそれがあるからである。
【００２９】
そのために、まず、下側から延びて浅い溝部１５ａに入る方のワイヤ６ｂに関しては、ワイヤ６ｂが入口１４の下側の縁部に当接するため、その縁部にワイヤ６ｂの抜け方向への移動を規制する幅の狭い突起部１９ｂを形成した。従って、このワイヤ６ｂは突起部１９ｂに遮られて溝部１５ａから出ることはない。また、突起部１９ｂには先端に曲折部２０ｂが形成されているため、ワイヤ６ｂとの接触面積が広く、本来的に浅くて抜けやすいワイヤ６ｂであっても、その抜け方向への移動を確実に規制される。
【００３０】
また、上側から延びて深い溝部１５ｂに入る方のワイヤ６ａに関しては、ワイヤ６ａが入口１４の上側の縁部に当接するため、その縁部にワイヤ６ａの抜け方向への移動を規制する幅の広い突起部１９ａを形成した。従って、このワイヤ６ａは突起部１９ａに遮られて溝部１５ｂから抜ける方向に移動することはない。ワイヤ６ａが抜ける方向に移動しないということは、ワイヤ６ａ、６ｂ同士の前記間隔Ｓが維持され、両者の干渉が回避される。
【００３１】
また、この幅の広い突起部１９ａの先端には、前記の曲折部２０ｂに相応する幅の狭い曲折部２０ａが向かい合うように形成されている。従って、浅い方のワイヤ６ｂとの干渉を回避した状態で、この曲折部２０ａは前記の曲折部２０ｂと同様に浅い方のワイヤ６ｂの抜け規制する働きもする。
【００３２】
更に、浅い方のワイヤ６ｂが当接する入口１４の縁部には、ワイヤ６ｂの深い方向への移動を規制する段部２１が形成されている。従って、この段部２１により、ワイヤ６ａ、６ｂ同士の干渉が更に確実に回避される。
【００３３】
【発明の効果】
この発明によれば、キャリアプレートには溝部と突起部を形成するだけで、可動する部分を設けないため、キャリアプレートの構造が簡単である。また、ワイヤの両端部を付勢部材と共に溝部内に収納するだけなので、ワイヤのキャリアプレートに対する係止作業も容易である。溝部内に収納されたワイヤは、突起部が各深さにおけるワイヤの抜け方向（浅い方向）への移動を規制するため、いったん収納した後は、ワイヤが溝部から抜け出る心配はなく、ワイヤ同士の干渉も回避される。
【図面の簡単な説明】
【図１】この実施形態のウインドウレギュレータ装置を示す側面図。
【図２】ウインドウパネル及びキャリアプレートを示す側面図。
【図３】キャリアプレートを表面側から見た側面図。
【図４】図３中矢示ＤＡ方向から見たキャリアプレートの平面図。
【図５】キャリアプレートを裏面側から見た側面図。
【図６】溝部とワイヤを別々に示した図。
【図７】図５中矢示ＤＢ方向から見た入口周辺の側面図。
【図８】入口を示す拡大図。
【図９】突起部とワイヤとの関係を示す拡大平面図。
【符号の説明】
１  ガイドレール
６  ワイヤ
７  キャリアプレート
９  ウインドウパネル
１４  入口
１５ａ、１５ｂ  溝部
１８ａ、１８ｂ  スプリング（付勢部材）
１９ａ、１９ｂ  突起部
２０ａ、２０ｂ  曲折部
２１  段部
Ｓ  ワイヤ同士の間隔
【図１】
0003892758.tif 000002
【図２】
0003892758.tif 000003
【図３】
0003892758.tif 000004
【図４】
0003892758.tif 000005
【図５】
0003892758.tif 000006
【図６】
0003892758.tif 000007
【図７】
0003892758.tif 000008
【図８】
0003892758.tif 000009
【図９】
0003892758.tif 000010